(57)【要約】所定のレベルの粒状度において通信システムにおける送信側デバイスの方向およびレンジを決定するためのシステムおよび方法が提供される。信号の条件に関する標印、受信された信号に含まれる情報、および／または送信条件を包囲する推測に基づく決定が、送信器を特定し、送信器のレンジおよび方向を決定し、および／または送信器の相対位置を特定するために使用されることができ、ここで、送信されかつ受信される信号は、支援する通信ネットワークを介して中継される、再送信される、および／または輸送されることがない。これらの決定は、主に送信するまたは受信するユーザ機器またはモバイルデバイスでなされるか、あるいは、送信するまたは受信するユーザ機器またはモバイルデバイス間で通信システムを介して分散した態様でなされることができる。
2012501449.tif 000002
【特許請求の範囲】
【請求項１】
所定のレベルの粒状度において送信側デバイスの方向およびレンジを決定することを促進する装置であって、
送信側デバイスからの標識信号を処理するための受信コンポーネントと、
前記標識信号の減衰、前記標識信号に含まれる情報、または前記標識信号の状況に少なくとも部分的に基づいて、前記送信側デバイスの方向およびレンジを決定するための分析器と、
を具備する装置。
【請求項２】
前記標識信号は、支援通信ネットワークを介して中継されること、再送信されること、または輸送されることなしに、受信側デバイスによって直接的に受信される請求項１に記載の装置。
【請求項３】
前記標識信号は、符号化または暗号化される請求項１に記載の装置。
【請求項４】
前記標識信号を送信することは、周波数ホッピングスキーマを介する請求項１に記載の装置。
【請求項５】
前記送信側デバイスの方向およびレンジを決定することを促進するために複数の送信される信号を具備する請求項１に記載の装置。
【請求項６】
前記少なくとも１つの送信される信号は、前記送信側デバイスの方向およびレンジを決定することに関係するデータ構造を具備する請求項１に記載の装置。
【請求項７】
前記データ構造は、ユーザＩＤ、セッションＩＤ、およびレンジングパラメータを具備する請求項６に記載の装置。
【請求項８】
前記データ構造は、状態パラメータ、位置パラメータ、送信器状況情報コンポーネント、または参照信号コンポーネントをさらに具備する請求項７に記載の装置。
【請求項９】
送信側デバイスの方向およびレンジを決定するように構成されるプロセッサであって、
少なくとも１つの送信側デバイスと関連する少なくとも１つの送信される信号を検出するための受信コンポーネントと、
前記少なくとも１つの送信される信号に少なくとも部分的に基づいて、少なくとも所定のレベルの粒状度で前記送信側デバイスの前記方向およびレンジを処理するための決定モジュールと、
を具備するプロセッサ。
【請求項１０】
前記処理することは、前記少なくとも１つの送信される信号の減衰、前記少なくとも１つの送信される信号に含まれる情報、または前記少なくとも１つの送信される信号の状況に少なくとも部分的に基づく請求項９に記載のプロセッサ。
【請求項１１】
送信側デバイスの方向およびレンジを決定するように構成されるコンピュータプログラム製品であって、
少なくとも１つの送信側デバイスと関連する少なくとも１つの送信される信号を受信することをコンピュータに行わせるための第１のコードのセットと、
前記少なくとも１つの送信される信号に少なくとも部分的に基づいて、少なくとも所定のレベルの粒状度で前記送信側デバイスの前記方向およびレンジを決定することを前記コンピュータに行わせるための第２のコードのセットと、
を具備する
コンピュータ読み取り可能な媒体
を具備するコンピュータプログラム製品。
【請求項１２】
前記第２のコードのセットは、前記少なくとも１つの送信される信号の減衰、前記少なくとも１つの送信される信号に含まれる情報、または前記少なくとも１つの送信される信号の状況に少なくとも部分的に基づく請求項１１に記載のコンピュータプログラム製品。
【請求項１３】
送信側デバイスの方向およびレンジを決定するように構成される装置であって、
少なくとも１つの送信側デバイスと関連する少なくとも１つの送信される信号を受信するための手段と、
前記少なくとも１つの送信される信号に少なくとも部分的に基づいて、少なくとも所定のレベルの粒状度で前記送信側デバイスの前記方向およびレンジを決定するための手段と、
前記少なくとも１つの送信される信号を復号化するための手段と、
を具備する装置。
【請求項１４】
前記決定するための手段は、前記少なくとも１つの送信される信号の減衰、前記少なくとも１つの送信される信号に含まれる情報、または前記少なくとも１つの送信される信号の状況に少なくとも部分的に基づく請求項１３に記載の装置。
【請求項１５】
送信側デバイスの方向およびレンジを動的に決定するための方法であって、
少なくとも１つの送信側デバイスと関連する少なくとも１つの送信される信号を受信することと、
少なくとも所定のレベルの粒状度で前記送信側デバイスの方向およびレンジを決定することと、
を具備する方法。
【請求項１６】
前記決定することは、受信される信号の減衰、前記受信される信号に含まれる情報、または前記受信される信号の状況に少なくとも部分的に基づく請求項１５に記載の方法。
【請求項１７】
前記決定することは、符号化、暗号化、または所定の周波数ホッピング処理がなされる、受信される信号に少なくとも部分的に基づく請求項１６に記載の方法。
【請求項１８】
方向またはレンジを決定するためにユーザＩＤ、セッションＩＤ、またはレンジパラメータを生成することをさらに具備する請求項１５に記載の方法。
【請求項１９】
前記ユーザＩＤ、前記セッションＩＤ、または前記レンジパラメータを伴うシーケンスをハッシュすることをさらに具備する請求項１８に記載の方法。
【請求項２０】
所定のパワーレベルで受信される信号を分析することによって距離を決定することをさらに具備する請求項１５に記載の方法。
【請求項２１】
距離またはレンジを決定するためにテキストメッセージサービス上にキーを生成することをさらに具備する請求項１５に記載の方法。
【請求項２２】
全地球測位パラメータ、慣性算法、または位置または標高情報を生成することをさらに具備する請求項１５に記載の方法。
【請求項２３】
少なくとも１つの他のデバイスまたは位置に対する関連付け測位情報を生成することをさらに具備する請求項２２に記載の方法。
【請求項２４】
位置またはレンジを決定するために多重周波数を生成することをさらに具備する請求項１５に記載の方法。
【請求項２５】
所定のレベルの粒状度において送信側デバイスの方向およびレンジを決定することを促進するための装置であって、
送信側デバイスからの標識信号を生成するための送信コンポーネントと、
前記標識信号の減衰、前記標識信号に含まれる情報、または前記標識信号の状況に少なくとも部分的に基づいて、前記送信側デバイスの方向およびレンジを符号化するための保安コンポーネントと、
を具備する装置。
【請求項２６】
前記標識信号は、符号化または暗号化される請求項２５に記載の装置。
【請求項２７】
前記標識信号は、周波数ホッピングスキーマを介して生成される請求項２５に記載の装置。
【請求項２８】
前記送信側デバイスの方向およびレンジを決定することを促進するために複数の送信される信号を具備する請求項２５に記載の装置。
【請求項２９】
ユーザＩＤ、セッションＩＤ、およびレンジングパラメータを含むデータ構造をさらに具備する請求項２５に記載の装置。
【請求項３０】
送信側デバイスの方向およびレンジを決定するように構成されるプロセッサであって、
少なくとも１つの送信側デバイスと関連する少なくとも１つの送信される信号を生成するための送信器コンポーネントと、
少なくとも所定のレベルの粒状度で前記送信側デバイスの前記方向およびレンジを符号化するための保安コンポーネントと、
を具備するプロセッサ。
【請求項３１】
送信される信号の減衰、前記送信される信号に含まれる情報、または前記送信される信号の状況に基づいて信号を処理する請求項３０に記載のプロセッサ。
【請求項３２】
送信側デバイスの方向およびレンジを決定するように構成されるコンピュータプログラム製品であって、
少なくとも１つの送信側デバイスと関連する少なくとも１つの送信される信号を送信することをコンピュータに行わせるための第１のコードのセットと、
前記少なくとも１つの送信される信号に少なくとも部分的に基づいて、少なくとも所定のレベルの粒状度で前記送信側デバイスの前記方向およびレンジを決定することを前記コンピュータに行わせるための第２のコードのセットと、
を具備するコンピュータ読み取り可能な媒体
を具備コンピュータプログラム製品。
【請求項３３】
前記第２のコードのセットは、受信される信号の減衰、前記受信される信号に含まれる情報、または前記受信される信号の状況に少なくとも部分的に基づく請求項３２に記載のコンピュータプログラム製品。
【請求項３４】
送信側デバイスの方向およびレンジを決定するように構成される装置であって、
少なくとも１つの送信側デバイスと関連する少なくとも１つの送信される信号を生成するための手段と、
前記少なくとも１つの送信される信号に少なくとも部分的に基づいて、少なくとも所定のレベルの粒状度で前記送信側デバイスの前記方向およびレンジを分析するための手段と、
前記送信される信号を復号化するための手段と、
を具備する装置。
【請求項３５】
前記方向および前記レンジは、前記少なくとも１つの送信される信号の減衰、前記少なくとも１つの送信される信号に含まれる情報、または前記少なくとも１つの送信される信号の状況に基づく請求項３４に記載の装置。
【請求項３６】
送信側デバイスの方向およびレンジを動的に決定するための方法であって、
少なくとも１つの送信側デバイスと関連する少なくとも１つの送信される信号を生成することと、
少なくとも所定のレベルの粒状度で前記送信側デバイスの方向およびレンジを決定することと、
を具備する方法。
【請求項３７】
前記決定することは、符号化、暗号化、または所定の周波数ホッピング処理がなされる、受信される信号に少なくとも部分的に基づく請求項１６に記載の方法。
【請求項３８】
前記方向または前記レンジを決定するように、ユーザＩＤ、セッションＩＤ、またはレンジパラメータを生成することをさらに具備する請求項３６に記載の方法。
【請求項３９】
前記ユーザＩＤ、前記セッションＩＤ、または前記レンジパラメータを伴うシーケンスをハッシュすることをさらに具備する請求項３８に記載の方法。
【請求項４０】
所定のパワーレベルで受信される信号を分析することによって距離を決定することをさらに具備する請求項３６に記載の方法。
【発明の詳細な説明】
【技術分野】
【０００１】
本出願は、「送信側モバイルデバイスの方向およびレンジを所定の粒状度において決定するための方法および装置」という名称の、２００８年８月２７日に出願された米国仮特許出願第６１／０９２，２２０号の利益を主張し、この仮出願の全ては本明細書に参照として組み込まれる。
【０００２】
本発明は、一般的には通信に関し、さらに具体的には、所定のレベルの粒状度において、通信システム内のける受信コンポーネントからの送信コンポーネントについてのレンジおよび方向を決定するための技術に関する。
【背景技術】
【０００３】
様々な通信サービス、例えば音声、パケットデータ、等々を提供するため、通信システムが広く開発されている。これらのシステムは、利用可能なシステム資源を共有することによって、複数のユーザとの通信を同時に支援することが可能な多元接続システムからなることができる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
一般的に、これらのシステム内のユーザ機器（ＵＥ）またはモバイルデバイスは、最初に基地局に通信することにより、これらのシステム内の他のＵＥまたはモバイルデバイス通信する。一方、この基地局は、ある基地局（同じまたは別の基地局のいずれか）にネットワークを介して通信的に結合され、このある基地局は他のＵＥまたはモバイルデバイスによって受信可能な信号を送信し、これにより通信回路の一行程を完成する。戻り行程は、上記基地局およびネットワークを介して同様に確立可能である。従来から、通信システムは、ＵＥまたはモバイルデバイス位置情報の送信を、送信される信号に組み込むことができる。例えば、通信されるＧＰＳ情報に基づいて送信側ＵＥまたはモバイルデバイスの識別が可能となるように、ＧＰＳ位置情報を含めることができる。
【０００５】
これらの従来のシステムは、一般的に、例えば、基地局または対応するネットワークを使用することなく、ＵＥまたはモバイルデバイス間で直接的に通信することはない。さらに、これらの従来のシステムは、典型的には、デバイスによって基地局およびネットワークを介して受信側のデバイスに対して送信される比較的微細な粒度で断定的な位置情報に特に依存する。これは、ＵＥまたはモバイルデバイスの位置を推測するために、このＵＥまたはモバイルデバイスの状況を分析するための高価な機器および回路構成を必要とする可能性があり、これにより、上記情報が次に符号化されると共に、従来の通信システムによって、受信側のＵＥまたはモバイルデバイス（例えば、基地局およびセルネットワークを介して）へ送信されることが可能となる。これらのシステムはさらに、この微細な粒度の位置情報をネットワークトラフィックに追加することによって、通信ネットワークを混雑させる。これらのシステムは、より直接的で効率的な態様で他のモバイルデバイスユーザを位置確認することを望んでいる可能性のある平均的なモバイルデバイスユーザのために、殆ど何もしていない。
【発明の概要】
【０００６】
以下の記載は、１つまたは複数の態様の単純化された概要を表すもので、これらの態様の基本的な理解を提供するためのものである。この概要は、全ての予期される態様の広範囲な総括ではなく、また、全ての態様の主要なまたは重要な素子を特定することや何れかまたは全ての態様の範囲を線引きすることを意図するものではない。その唯一の目的は、後に提供されるより詳細な説明への準備として、１つまたは複数の態様の幾つかの概念を単純化された形で提供することである。
【０００７】
放射された標識（ｂｅａｃｏｎ）または信号は、所望のレンジまたはソーシャルネットワーク内でユーザが友人を安全に位置確認できるようにするため、モバイルデバイスと共に提供される。この標識は、例えば、ユーザがシステムの他のユーザと会えるように、携帯電話またはモバイルデバイスから生成可能で、ここで、他のユーザもまた夫々のデバイスを使用する人を位置確認することを試みている。１つの態様においては、この標識は、例えば送信用として無認可帯域を使用するか、またはこの干渉レベルが許容できないようであれば、有認可帯域を使用することができる。ユーザ確定ネットワークにおける各モバイル電話は、「友人」（または他のソーシャル指名）のみが検出できる標識を配備可能である。この標識を使用すると、友人は他の友人の位置に指向可能となる。この標識および関連するコンポーネントは、友人間の保安規定を強化できると共に、これらの友人を互いに識別するように使用することができる。この標識を処理する夫々の適用は、ユーザへの方向および近接性を中継することができ、これにより、それらの集合的な友人を効率的に位置確認することを補助することができる。
【０００８】
前述のおよび関連する目的の達成のため、上記の１つまたは複数の態様は、以下に詳細に説明されると共に特に特許請求の範囲において指摘される特徴を具備する。以下の説明および付随する図面は、上記の１つまたは複数の態様のある例証的な特徴を詳細に示す。しかし、これらの特徴は、様々な態様の原理が使用される際に可能性のある様々な態様の幾らかを示すもので、その説明は全ての上記態様およびそれらの等価物を含むことを意図していない。
【図面の簡単な説明】
【０００９】
【図１】図１は、所定の粒状度で方向およびレンジを決定することを促進する信号を受信するためのシステムを示す。
【図２】図２は、所定の粒状度で方向およびレンジを決定することを促進する信号を送信および受信するためのシステムの概略図を示す。
【図３Ａ】図３Ａは、所定の粒状度で方向およびレンジを決定することを促進するためのデータ構造の概略図を示す図である。
【図３Ｂ】図３Ｂは、所定の粒状度で方向およびレンジを決定することを促進するためのデータ構造の概略図を示す。
【図４】図４は、所定の粒状度で方向およびレンジを決定することを促進するための多重送信用システムの概略図を示す。
【図５】図５は、所定の粒状度で方向およびレンジを決定することを促進するシステムにおいてデータ暗号化を使用するシステムの概略図を示す。
【図６】図６は、所定の粒状度で方向およびレンジを決定することを促進するための方法を示す。
【図７】図７は、所定の粒状度で方向およびレンジを決定することを促進するための方法を示す。
【図８】図８は、所定の粒状度で方向およびレンジを決定することを促進するための方法を示す。
【図９】図９は、所定の粒状度で方向およびレンジを決定することを促進するための方法を示す。
【図１０】図１０は、所定の粒状度で方向およびレンジを決定することを促進するための方法を示す。
【図１１】図１１は、無線信号処理のための論理モジュールを示す図である。
【図１２】図１２は、無線信号処理のための論理モジュールを示す図である。
【詳細な説明】
【００１０】
所定のおよび安全なソーシャルネットワークからユーザが互いに自動的に位置確認できるようにするため、システムおよび方法が提供される。１つの態様においては、送信される信号を処理することにより、所定のレベルの粒状度において送信側デバイスの方向およびレンジを決定することを促進するため、装置が提供される。この装置は、送信側デバイスからの標識信号を処理するための受信コンポーネントを含む。分析器が、標識信号の減衰、この標識信号に含まれる情報、またはこの標識信号の状況に少なくとも部分的に基づいて、送信側デバイスの方向およびレンジを決定する。
【００１１】
図１を参照すると、所定の粒状度で方向およびレンジを決定することを促進する信号を受信するシステム１００が示される。システム１００は、１つまたは複数のユーザデバイス１２０を含み、これらは、無線ネットワーク１１０によって第２のデバイス１３０（単数または複数のデバイス）に通信可能な実体であることができる。図示のため、システム１００には２つのデバイスのみが示されるが、ネットワーク１１０にはこのようなデバイスが多数使用可能であることが理解できるであろう。例えば、各デバイス１２０、１３０は、アクセス端末機（これはまた、端末機、ユーザ機器、移動性対処機（ＭＭＥ）、またはモバイルデバイスとして言及される）からなることができる。図示しないが、基地局（単数または複数の基地局）は、ダウンリンク１４０を介してデバイス１２０、１３０に通信すると共に、アップリンク１５０を介してデータを受信することができる。これらのアップリンクおよびダウンリンクの指定は任意であり、何故なら、デバイス１２０および１３０はまた、ダウンリンクを介してデータを送信すると共に、アップリンクチャネルを介してデータを受信することができる。留意すべき点として、２つのコンポーネント１２０および１３０が示されるが、ネットワーク１１０には２つより多くのコンポーネントが使用可能であり、それらの追加のコンポーネントもまたここに記載される無線処理を行うように構成可能である。
【００１２】
図示のように、放射された標識１５４は、デバイス１２０および１３０（および他のデバイス）間で通信されると共に、友人または他の所望の知人を位置確認することを助けるために使用される。標識１５４は、保安コンポーネント１６０および１７０（分析器とも呼ばれる）を介して、夫々のデバイス１２０、１３０によって、指定されたユーザだけが標識１５４を復号化することができるように構成可能である。従って、保安規定または他の符号化されたシーケンスは、あるデバイスが標識１５４に応答できる一方で、非委任のデバイスが標識から生成される情報を解明することを防止するように構成可能である。標識１５４は、ユーザがシステム１００の他のユーザと会えるように、携帯電話またはモバイルデバイスから生成可能で、ここで、他のユーザもまた、この例ではデバイス１２０または１３０を使用する人を位置確認することを試みている。１つの態様においては、標識１５４は、例えば送信用として無認可帯域を使用するか、またはこの干渉レベルが許容できないようであれば、有認可帯域を使用することができる。従って、ユーザ確定ネットワークにおける各モバイルデバイス１２０または１３０は、「友人」（または他のソーシャルネットワーク指名）のみが検出できる標識１５４を配備可能である。標識１５４を使用すると、友人は他の友人の位置に指向可能となる。標識１５４および関連するコンポーネントは、友人間の保安規定を強化できると共に、これらの友人を互いに識別するように使用することができる。標識１５４を処理する夫々の適用、例えば保安コンポーネント１６０および１７０は、ユーザへの方向および近接性を中継することができ、これにより、標識を受信可能な所望のネットワークまたはレンジ内で、それらの集合的な友人を位置確認することを補助することができる。
【００１３】
一般的に、システム１００は複数のモバイルデバイスを使用することができ、これらは、通信システムコンポーネント間（例えば、ユーザ機器（ＵＥ）、基地局（ＢＳまたはＮｏｄｅＢ）、モバイルデバイス等の間）でデータの送信および／または受信を行うための送信器および／または受信器を有する。例えば、ＵＥは、所与の送信領域内の他のＵＥによって受信可能な１つまたは複数のデータパケットを送信する可能性があり、ここで、データパケットは、少なくともユーザ識別情報（ユーザＩＤ）、セッション識別情報（セッションＩＤ）およびレンジングパラメータ（ranging parameter）を含むことができる。
【００１４】
この位置情報は、例えば受信側モバイルデバイスによって受信されることとなる、例えばデジタル的に符号化されたパイロットチャネルによって送信可能となる。システム全体は、距離およびレンジ決めを行うことができる複数のＵＥまたはモバイルデバイスを含み、距離およびレンジ決めは、送信側ＵＥまたはモバイルデバイス、受信側ＵＥまたはモバイルデバイス、および送信されるおよび／または受信される情報に関するものであり、同情報は、開示される主題事項の様々な態様において方向およびレンジ決めを促進するものである。
【００１５】
１つの態様においては、システム１００は、送信側デバイスから送信される信号を受信することにより、送信側ＵＥまたはモバイルデバイスの方向およびレンジを決定することを促進することができる。この信号は、ユーザＩＤ、セッションＩＤ、およびレンジングパラメータを含むことができ、これは以下により詳細に説明される。レンジングパラメータはブロックコード内に存在することができる。ユーザＩＤは、受信側ＵＥまたはモバイルデバイスが、送信側ＵＥまたはモバイルデバイスによって送信された受信信号と関連する正体（ＩＤｅｎｔｉｔｙ）を決定することを助けることができる（例えば、受信器がレンジ決めされるモバイルデバイスの正体を決定することができる）。
【００１６】
他の態様によれば、セッションＩＤは、プライバシを送信側デバイスユーザに提供することができる。これは、送信される信号を安全にするように送信される信号を符号化することにより、例えば、セッションＩＤを有する情報をハッシュ（hashing）することにより達成可能であり、ここで、このハッシュ（hash）を復号化すると共に符号化された情報を決定するためにこのセッションＩＤが典型的には使用される。従って例えば、放送されるユーザＩＤ情報を符号化するように、ユーザＩＤはセッションＩＤと共にハッシュされる。同様に、この信号の受信器がこのセッションＩＤを有する場合、このハッシュが容易に開らかれてユーザＩＤが速やかに決定されることが可能となる。このセッションＩＤは、データ保安技術分野においてよく知られるように「キー」として使用されることによりプライバシの改良を促進するように使用可能であり、これは、当業者であれば理解できるように、ここで与えられる簡単かつ単純化された例に限定されるものではない。
【００１７】
他の態様によれば、レンジングパラメータは、送信側デバイスのレンジおよび方向を決定することを促進することができる。一実施形態において、このレンジングパラメータは、ブロックコードにおける所定の繰り返しコードからなることができる。これは、所定の送信されるパワーレベルと比較して受信される信号のパワーを分析することにより、距離を決定することを促進することができる。例えば、ブロックコードとして送信される繰り返しコードが、システム内のデバイスによって予設定パワーレベルで送信される場合、受信側デバイスは、元の送信レベルからの送信される信号の減衰を分析することにより、所定の粒状度において送信側デバイスのレンジおよび方向を決定することができる。同様に、このレンジングパラメータは、受信側デバイスにおいて信号レベルの減衰の決定を促進するように、送信されるパワーレベルの仕様を含むことができる。例えば、送信側デバイスが送信パワーレベルをブロックコードとして放送する場合、受信側デバイスは、放送信号において特定される送信パワーレベルと比較した、受信される信号の減衰に少なくとも部分的に基づいて、送信側デバイスのレンジおよび方向を決定することができる。
【００１８】
他の態様によれば、使用される送信のプライバシおよび排他性をさらに安全にし、送信側デバイスの方向をレンジ決めおよび決定することを促進するように、さらに暗号化技術を使用することができる。これらの暗号化技術は、本技術分野において現在よく知られる技術および／または未だ特定されていない技術を含むことができる（例えば、特殊な暗号化技術は開示される主題事項の題材ではなく、当業者であれば理解できるように、開示される主題事項のシステム、デバイス、および／または方法と暗号化技術が密接な関係がある場合、これらの技術を組み込むことも開示される主題事項の範囲内である。）
さらに他の態様によれば、プライバシ/保安の両者を改良すると共にシステム１００の性能を改良するように、例えば周波数ホッピングのような技術を使用することができる。周波数ホッピングによれば、次のホップ周波数を知ることなく単一の送信側デバイスを追跡することをより困難にすることができる。この情報は、送信される信号に符号化されると共に、正確なキーを有する受信側デバイスにおいて復号化されることができる。このキーは、殆ど無限の数の方法によって受信側デバイスへ通信されることができ、当業者であれば、情報を復号化するためのキーを提供するそのような方法の全ては、開示される主題事項の範囲内であることを理解できるであろう。例えば、従来の携帯電話のテキストメッセージサービスによって送信されるキーが受信される場合、周波数ホッピング送信器は、このキーを保持する受信側デバイスによって所定の周波数ホッピング処理を介して追跡されることができる一方、このキーを有していない受信器は、次のホップ周波数を決定することは殆ど不可能であることを見出し、この送信側デバイスを成功裏に追跡することはできないであろう。
【００１９】
周波数ホッピングはまた、幾つかの密接に関連する技術分野においてよく知られるように、信号ノイズを減少させることができる。これは、全システム性能を改良することができる。例えば、特殊な周波数のノイズが多い場合、ノイズが多い周波数上に通信が存在したままであると、方向およびレンジ分析はより不正確となる可能性がある。しかし、デバイスが周波数ホップの場合、これらは、全のシステムおよびデバイス性能を改良できる幾つかの明瞭な周波数に遭遇する可能性がより高くなる。さらに、周波数ホッピングは、周波数の使用を時間および信号数の範囲内で僅かな選択周波数に圧縮するのではなく、使用される周波数の範囲に亘って周波数の使用を「平坦化」することにより、より多数の送信側および受信側デバイスを有するシステムの性能を改良することができる。
【００２０】
他の態様によれば、送信される情報（例えば、ユーザＩＤ、セッションＩＤ、およびレンジングパラメータ）は、データ構造として構成されうる。このデータ構造はまた、他の所定の情報、例えば、位置パラメータ、送信器状況情報、参照信号情報、または状態ＩＤをさらに含むように拡張可能である。位置パラメータは、送信器に知られかつ受信側デバイスへのデータ構造の一部として送信される現在または最後に知られた位置に関係する情報からなることができる。位置パラメータは、例えば、送信側デバイスの位置に関係するＧＰＳ情報、位置の慣性算法、標高情報、または他の位置情報を含むことができる。送信器状況（ＴＸ状況）情報は、送信器の関連付け測位状況を含むことができる。例えば、このＴＸ状況情報は、知られた位置を有する１つまたは複数の標識からの距離（例えば、自由の女神の標識から１０フィートや、４５「Ｘ」かつ第１５番目の地下鉄の入り口の標識から１フィート、等々）、加速度情報、または速度情報（例えば、最後に放送された送信からの方向および速度における変化を通信すると、送信側デバイスの軌跡を特定することを促進することができる）、または他の類似の形態の関連付け測位情報を含むことができる。状態ＩＤは、送信ユーザの状態に関係する情報を含むことができる（例えば、これらは「多忙」、「応対可能」、「仕事中」、「食事中」、等々を示すことができる）。
【００２１】
他の態様によれば、複数の放送信号がＵＥまたはモバイルデバイス１２０および１３０によって送信されるおよび／または受信されることができる。例えば、送信側ＵＥまたはモバイルデバイスは、１つまたは複数の信号を送信することができる。複数の信号が送信される場合、これらの信号は、受信側デバイスにおいて送信側デバイスの方向およびレンジを決定することを促進するように、所定の態様において互いに異なることができる。例えば、２つの信号が送信される場合、これらは２つの周波数に置くことができ、ここで、ある条件下で第１の周波数は他の周波数よりも減衰される可能性があり、異なる送信レンジで方向およびレンジ決めができるようになる（例えば、９００ＭＨｚの信号は５.８ＧＨｚの信号よりもショッピングセンター内でコンクリート壁を介して遠くに達するため、屋内では９００ＭＨｚの信号によってより容易に方向およびレンジを決定することができるようになる）。他の幾つかの例として、これらの信号は位相がシフト可能であり、これらの信号は送信パワーが異なることができ、これらの信号は多重アンテナ（例えば、ＭＩＭＯシステムのようなもの）から送信可能であり、そのほか多くの他の信号変形例によって、開示される主題事項と密接な関係がある性能の改良を促進することができる。同様に、例えば、多重受信アンテナ等の受信するシステム/デバイスに対する変形例も改良を促進することができる。
【００２２】
１つの態様によれば、レンジを決定することは信号分析によって行うことができる。例えば、知られたまたは推測された条件に関する所定のレベルからの信号の減衰に関係してレンジを決定する（例えば、訓練または校正）、知られたまたは推測された減衰を有する複数の信号の内の受信する１つまたは複数に少なくとも部分的に基づいてレンジを決定する、２つの信号間で重なる周波数に少なくとも部分的に基づいてレンジを決定する、等である。単一の受信器が使用される場合、複数の帯域から情報を捕獲するように、可変サンプリングレートを使用することができる。複数の受信器が使用される場合、サンプリングは同時並行態様で複数の帯域に対して進行可能である。さらに、レンジを決定することは信号で通信される情報に基づいて行うことができる。例えば、全体的なレンジは、受信される信号のパワーに基づいて決定されることができると共に、精細化は送信器がコーヒーショップ標識に近いということを示す信号内の部分に基づいて行うことができる（例えば、この送信器は、コーヒーショップに配置された標識（例えば、コーヒーショップの入り口におけるＲＦＩＤ）に基づいてこれがコーヒーショップの近くであるという情報を含むことができる）。方向は、受信される信号の経時変化によって決定されることができる（例えば、送信器に近付くにつれて、信号は強まることができる）。同様に、方向は、信号に含まれた情報によって決定されることができる（例えば、「コーヒーショップの近く」は方向を示すことができる）。さらに、方向は、より複合的な分析、例えば知られた環境における信号パワーレベルの減衰に基づいて決定されることができる（例えば、２つのデバイス間で信号が強まるおよび弱まると共にこの環境が良好に特徴付けられている場合、上記減衰における変化によって、比較的正確なレンジおよび方向情報を決定するように、この環境に対して地図を描くことができる）。
【００２３】
他の態様によれば、レンジング情報は、デバイス間で中継されると共に外部位置マーカを参照することができる。例えば、第１のユーザ機器は第２のユーザ機器に対して、アクセス点Ａからある距離および方向に第１のユーザ機器が位置することを通信することができる。この位置情報を受信すると、第２のユーザ機器は、送信される情報およびアクセス点Ａからの第２のユーザ機器のレンジおよび方向に少なくとも部分的に基づいて、第１のユーザ機器のレンジおよび方向を決定することができる。従って、一般的に、ユーザ機器は、知られた基準点からの位置（例えば、レンジおよび方向）、および静止状態または移動状態のいずれかに関係するシステム内の情報を通信することができる（例えば、基準点は、設定位置例えばアクセス点からなるか、またはモバイル基準点例えばシステム内の追加のユーザ機器からなることができる）。
【００２４】
システム１００は、送信される信号を受信するためのアンテナコンポーネント（図示せず）と通信的に結合される受信（ＲＸ）コンポーネント（図示せず）を含むことができ、この信号は、少なくとも一部が送信側デバイスの方向およびレンジを決定することと関連する。このＲＸコンポーネントは、ＲＸコンポーネントによって受信される信号に少なくとも部分的に基づいて送信側デバイスの方向およびレンジを決定することを促進することができる決定コンポーネント（図示せず）と通信的に結合されることができる。ここに記載のユーザデバイスは、無線ネットワークによっておよび／または夫々のソーシャルネットワークに対して通信する単一のアンテナを使用する可能性があることが理解できるであろう。このデバイスはまた、多重アンテナを使用することを含む可能性があり、ここで、１つのアンテナが全体的な無線通信のために使用されると共に、１つまたは複数の他のアンテナが放射された標識のために使用される。ここで理解できるように、実質的にどのようなタイプのデバイスでも無線通信のために使用することができ、これらは、テレビ帯域デバイスまたはＴＶＤＢデバイスのようなスペースデバイスを含む。
【００２５】
１つの態様においては、システム１００によって受信される送信信号は、ユーザＩＤ、セッションＩＤ、および少なくともレンジングパラメータを含むことができる。このレンジングパラメータはブロック符号化された信号からなることができる。この信号は、この信号の減衰レベルを決定することによってレンジを決定するように使用することができる。さらに、この信号は、データ構造を具備することができる。このデータ構造は、上記のユーザＩＤ、セッションＩＤ、およびレンジングパラメータを、状態パラメータ、位置パラメータ、送信状況情報パラメータ、参照信号、またはそれらの組み合わせと組み合わせて具備することができる。方向およびレンジの決定を促進するように、システム１００によって１つまたは複数の信号が送信可能でかつ受信可能である。システム１００は、ユーザの保安およびプライバシを促進するように、ここに記載される周波数ホッピングスキーマに従うことが可能である。受信された信号は、符号化、暗号化、またはそれらのある組み合わせを施すことが可能であると共に、適切に有効化されると、この信号は、方向およびレンジを決定することを促進するようにシステム１００によって復号化/解読できる。
【００２６】
図２は、所定の粒状度で方向およびレンジを決定することを促進する信号を送信および受信するためのシステム２００の概略図を示す。システム２００は、アンテナコンポーネント２２０を有するＲＸコンポーネント２１０を具備することができ、これらは、夫々図１のコンポーネント１２０および１１０と同じまたは類似のものからなることができる。同様に、システム２００は、決定コンポーネント２３０を有することができ、これは、図１の１３０と同じまたは類似のものからなることができる。さらに、システム２００は、１つまたは複数の信号２４０を送信するためのアンテナコンポーネント２６０と通信的に結合される送信（ＴＸ）コンポーネント２５０を具備することができ、これにより、ＲＸコンポーネント２１０に対するＴＸコンポーネントの方向およびレンジを決定することを促進することができる。
【００２７】
ＴＸコンポーネント２５０によって送信される信号の内容および構造は、ＴＸコンポーネント２５０と通信的に結合されることが可能な情報コンポーネント２７０によって決定されることができる。演繹によって、当業者は、システム１００の帰結である送信システム（別途図示せず）は、受信コンポーネント（例えば、２１０、２２０、および２３０）または実際の送信された信号２４０が存在しない場合には、ＴＸコンポーネント２５０、アンテナコンポーネント２６０、および情報コンポーネント２７０で構成されうることを認識するであろう。
【００２８】
図３Ａ−図３Ｂは、開示される主題事項の１つの態様による、所定の粒状度で方向およびレンジを決定することを促進するためのデータ構造の概略図を示す。データ構造３００Ａは、ユーザＩＤコンポーネント３０５Ａ、セッションＩＤコンポーネント３１０Ａ、およびレンジングパラメータコンポーネント３１５Ａを具備することができる。ここに記載されるように、データ構造のこれらのコンポーネントは、送信器の正体を決定することを促進するため、送信側当事者に対してプライバシのレベルを提供するため、および送信システムの方向およびレンジを決定することを促進するように両情報を提供するための十分な情報を通信することができる。
【００２９】
データ構造３００Ｂは、データ構造３００Ａと同一または類似でありうる。データ構造３００Ｂは、ユーザＩＤコンポーネント３０５Ｂ、セッションＩＤコンポーネント３１０Ｂ、およびレンジングパラメータコンポーネント３１５Ｂを具備することができる。ここに記載されるように、データ構造のこれらのコンポーネントは、送信器の正体を決定することを促進するため、送信側当事者に対してプライバシのレベルを提供するため、および送信システムの方向およびレンジを決定することを促進するように両情報を提供するための十分な情報を通信することができる。さらに、データ構造３００Ｂは、状態コンポーネント３２０、位置パラメータコンポーネント３２５、ＴＸ状況情報コンポーネント３３０、参照信号コンポーネント３３５、またはそれらの組み合わせを具備することができる。これらの追加のデータは、ここに記載されるように、追加の機能性を提供することができる。
【００３０】
図４は、開示される主題事項の１つの態様による、所定の粒状度で方向およびレンジを決定することを促進するための多重送信用システム４００の概略図を示す。システム４００は、可能性のある複数のＵＥまたはモバイルデバイスの内の２つ４１０および４６０を示し、これらの間に減衰体４５０が介在する。減衰体４５０は、減衰体４５０を介してＵＥ４１０からＵＥ４６０へ送信される信号、例えばここに示されるように、信号４２０−４４０の劣化および／または減衰を生じさせることが可能な様々な条件、素子、および／または環境を代表するものである。この図は、減衰体が送信される信号４２０を通すことができるように示す。従って、信号４２０は、ＵＥ４６０に対するＵＥ４１０の方向およびレンジを決定することを促進する。
【００３１】
同様に、減衰体４５０は、送信される信号４３０を妨害することができる。信号４３０は、かなり減衰された状態でＵＥ４６０に到達する可能性があるが、依然ＵＥ４６０に対するＵＥ４１０の方向およびレンジを決定することを促進することが可能である。ＵＥ４６０において両信号４２０および信号４３０が受信される場合、少なくとも信号の減衰に関係する組み合わされた情報を距離およびレンジ決定において使用することができる。さらに、これらの信号の設計（周波数重複、ビーティング、周波数の機能としての減衰等）によって、さらに情報を提供することができる。減衰体４５０はまた、送信される信号４４０を機能的にブロックすることができ、ここで、信号４４０は使用するのに十分なパワーでＵＥ４６０に到達することができない（例えば、信号対ノイズは、信号４４０の受信に依存するには低すぎる可能性がある等）。ここに記載されるように、全信号は、減衰情報および／または信号構造関連事項（ビーティング、周波数の機能としての減衰等）に加えて、方向およびレンジの決定を促進することができるデータを含むことができる。例えば、この信号は、減衰されると共に送信器がコーヒーショップに近いということを示すデータを含むことができる。
【００３２】
図５は、開示される主題事項の１つの態様にによる、所定の粒状度で方向およびレンジを決定することを促進するシステムにおいてデータ暗号化を使用するシステム５００の概略図を示す。システム５００は、システム１００、２００、および／または３００の対応するコンポーネントと同一または類似でありうるＴＸコンポーネント５２０およびＲＸコンポーネント５１０を含むことができる。ＴＸおよびＲＸコンポーネント５２０および５１０は、送信信号５３０によって通信することができる。信号５３０は、暗号化コンポーネント５２５によって暗号化されかつ解読コンポーネント５１５によって解読されることができる。
【００３３】
図６は、開示される主題事項の１つの態様による、所定の粒状度で方向およびレンジを決定することを促進するための方法６００を示す。６１０において、信号送信器を特定することに関係する情報が受信されることができる。この信号は、ここに記載されるように、ユーザＩＤ、セッションＩＤ、およびレンジングパラメータを含むことができる。同様に、ここに記載されるように、受信される信号には、追加の情報が含まれることができる。６２０において、この受信される信号の質に少なくとも部分的に基づいて、所定のレベルの粒状度において送信側デバイスの方向およびレンジが決定されることができる。これによって、方法６００が終了可能となる。さらに、１つまたは複数の受信される信号に含まれるおよび／または関連する情報によって、方向およびレンジ決定の更なる精細化を促進することができる、あるいは方法６００と関連するシステムのユーザの追加の情報またはプライバシを提供することができる。
【００３４】
図７は、開示される主題事項の１つの態様による、所定の粒状度で方向およびレンジを決定することを促進するための方法７００を示す。７１０において、信号送信器を特定することに関係する情報が受信されることができる。７２０において、受信するシステムは、セッションＩＤおよびユーザＩＤと関連する情報によって、保安スキーマが使用されているかを決定することができる。７３０において、特定された保安スキーマと適合するように、受信側デバイスが動的に構成され、これにより決定セッションを具備する送信される信号の連続的な受信を促進する（例えば、セッションキーは、受信側デバイスが特定された送信側デバイスからの理解可能な信号を受信し続けることができるように機能し、これにより連続的な方向およびレンジ決定を促進する）。７４０において、この受信される信号に少なくとも部分的に基づいて、送信側デバイスの方向およびレンジが決定されることができる。これによって、方法７００が終了可能となる。
【００３５】
図８は、開示される主題事項の１つの態様による、所定の粒状度で方向およびレンジを決定することを促進するための方法８００を示す。８１０において、送信されるユーザＩＤが受信されることができる。８２０において、受信側デバイスに対して通信されるユーザＩＤおよび所定のセッションＩＤに基づいて、周波数ホッピングスキームが決定されることができる。８３０において、送信側デバイスの周波数ホッピングが受信側デバイスによって追跡されることができる。８４０において、この受信される信号に少なくとも部分的に基づいて、送信側デバイスの方向およびレンジが決定されることができる。これによって、方法８００が終了可能となる。
【００３６】
図９は、開示される主題事項の１つの態様による、所定の粒状度で方向およびレンジを決定することを促進するための方法９００を示す。９１０において、送信側デバイスは、少なくともユーザＩＤ、セッションＩＤ、およびレンジングパラメータを有するデータ構造を送信することができる。９２０において、このデータ構造を具備する送信された信号が受信側デバイスによって受信されることができる。９３０において、送信側デバイスの正体がユーザＩＤに少なくとも部分的に基づいて特定されることができる。９４０において、この受信される信号に少なくとも部分的に基づいて、送信側デバイスの方向およびレンジが決定されることができる。これによって、方法９００が終了可能となる。
【００３７】
図１０は、開示される主題事項の１つの態様による、所定の粒状度で方向およびレンジを決定することを促進するための方法１０００を示す。１０１０において、送信側デバイスは、少なくともユーザＩＤ、セッションＩＤ、およびレンジングパラメータを有しかつさらにここに記載されるように構造内に追加のデータを具備するデータ構造を送信することができる。１０２０において、送信側デバイスの正体がユーザＩＤに少なくとも部分的に基づいて特定されることができる。１０３０において、受信側デバイスは、セッションＩＤに少なくとも部分的に基づいて決定される保安スキーマと適合することができる。１０４０において、この受信される信号に少なくとも部分的に基づいて、送信側デバイスの方向およびレンジが決定されることができる。これによって、方法１０００が終了可能となる。
【００３８】
次に、図１１および図１２を参照すると、無線信号処理と関連するシステムが提供される。このシステムは、一連の相関する機能ブロックとして表され、これらは、プロセッサ、ソフトウェア、ハードウェア、ファームウェア、またはそれらの適当な組み合わせによって実施される機能を表すことができる。
【００３９】
図１１を参照すると、無線通信システム１１００が提供される。システム１１００は、少なくとも１つの送信側デバイスと関連する少なくとも１つの送信される信号を受信するための手段または論理モジュール１１０２を含む。システム１１００は、この少なくとも１つの受信される信号に少なくとも部分的に基づいて、少なくとも所定のレベルの粒状度で送信側デバイスの方向およびレンジを決定するための手段または論理モジュール１１０４を含む。このシステムはまた、この送信される信号を復号化するための手段または論理モジュール１１０６を含む。
【００４０】
図１２を参照すると、無線通信システム１２００が提供される。システム１２００は、少なくとも１つの送信側デバイスと関連する少なくとも１つの送信される信号を生成するための手段または論理モジュール１２０２を含む。システム１２００は、この少なくとも１つの送信される信号に少なくとも部分的に基づいて、少なくとも所定のレベルの粒状度で送信側デバイスの方向およびレンジを分析するための手段または論理モジュール１２０４を含む。このシステムはまた、この送信される信号を符号化するための手段または論理モジュール１２０６を含む。
【００４１】
１つの態様においては、送信される信号を処理することによって、所定のレベルの粒状度において送信側デバイスの方向およびレンジを決定することを促進するための装置が提供される。この装置は、送信側デバイスからの標識信号を処理するための受信コンポーネントと、標識信号の減衰、標識信号に含まれる情報、または標識信号の状況に少なくとも部分的に基づいて、送信側デバイスの方向およびレンジを決定するための分析器とを具備する。標識信号は、支援する通信ネットワークを介して中継される、再送信される、または輸送されることなく、受信側デバイスによって直接的に受信可能である。標識信号は、符号化されまたは暗号化されることができ、ここで、標識信号を送信することは、周波数ホッピングスキーマを介することができる。送信側デバイスの方向およびレンジを決定することを促進するように、複数の送信される信号を提供することができ、ここで、送信される信号は、送信側デバイスの方向およびレンジを決定することに関係するデータ構造を具備する。データ構造は、ユーザＩＤ、セッションＩＤ、およびレンジングパラメータと、状態パラメータ、位置パラメータ、送信器状況情報コンポーネント、または参照信号コンポーネントとを具備する。
【００４２】
他の態様においては、送信側デバイスの方向およびレンジを決定するように構成されるプロセッサが提供される。このプロセッサは、少なくとも１つの送信側デバイスと関連する少なくとも１つの送信される信号を検出するための受信コンポーネントと、少なくとも１つの送信される信号に少なくとも部分的に基づいて、少なくとも所定のレベルの粒状度で送信側デバイスの方向およびレンジを処理するための決定モジュールと、を具備する。この処理することは、受信される信号の減衰、信号に含まれる情報、または送信される信号の状況に少なくとも部分的に基づくことができる。
【００４３】
他の態様においては、送信側デバイスの方向およびレンジを決定するように構成されるコンピュータプログラム製品が提供される。これはコンピュータ読み取り可能な媒体を含み、これは、少なくとも１つの送信側デバイスと関連する少なくとも１つの送信される信号を受信することをコンピュータに行わせるための第１のコードのセットと、少なくとも１つの受信される信号に少なくとも部分的に基づいて、少なくとも所定のレベルの粒状度で送信側デバイスの方向およびレンジを決定することをコンピュータに行わせるための第２のコードのセットと、を具備する。この決定することは、受信される信号の減衰、信号に含まれる情報、または送信される信号の状況に少なくとも部分的に基づくことができる。
【００４４】
他の態様においては、送信側デバイスの方向およびレンジを動的に決定するための方法が提供される。この方法は、少なくとも１つの送信側デバイスと関連する少なくとも１つの送信される信号を受信することと、少なくとも所定のレベルの粒状度で送信側デバイスの方向およびレンジを決定することと、を具備する。この決定することは、受信される信号の減衰、信号に含まれる情報、または送信される信号の状況に少なくとも部分的に基づくか、あるいは、符号化、暗号化、または所定の周波数ホッピング処理がなされる、受信される信号に少なくとも部分的に基づくことができる。この方法は、方向またはレンジを決定するように、ユーザＩＤ、セッションＩＤ、またはレンジパラメータを生成することを含む。この方法は、ユーザＩＤ、セッションＩＤ、またはレンジパラメータを伴うシーケンスをハッシュすることを含む。この方法は、所定のパワーレベルで受信される信号を分析することによって距離を決定すること、および距離またはレンジを決定するためにテキストメッセージサービス上にキーを生成することを含む。この方法は、全地球測位パラメータ、慣性算法、または位置または標高情報を生成すること、または少なくとも１つの他のデバイスまたは位置に対する関連付け測位情報を生成することを含む。この方法は、位置またはレンジを決定するために多重周波数を生成することを含む。
【００４５】
他の態様においては、送信される信号を処理することによって所定のレベルの粒状度において送信側デバイスの方向およびレンジを決定することを促進するための装置が提供される。この装置は、送信側デバイスからの標識信号を生成するための送信コンポーネントと、標識信号の減衰、標識信号に含まれる情報、または標識信号の状況に少なくとも部分的に基づいて、送信側デバイスの方向およびレンジを符号化するための保安コンポーネントと、を具備する。
【００４６】
さらに他の態様においては、送信側デバイスの方向およびレンジを決定するように構成されるプロセッサが提供される。このプロセッサは、少なくとも１つの送信側デバイスと関連する少なくとも１つの送信される信号を生成するための送信器コンポーネントと、少なくとも所定のレベルの粒状度で送信側デバイスの方向およびレンジを符号化するための保安コンポーネントと、を具備する。
【００４７】
送信側デバイスの方向およびレンジを決定するように構成されるコンピュータプログラム製品が提供される。これはコンピュータ読み取り可能な媒体を具備し、これは、少なくとも１つの送信側デバイスと関連する少なくとも１つの送信される信号を送信することをコンピュータに行わせるための第１のコードのセットと、少なくとも１つの送信される信号に少なくとも部分的に基づいて、少なくとも所定のレベルの粒状度で送信側デバイスの方向およびレンジを決定することをコンピュータに行わせるための第２のコードのセットと、を具備する。
【００４８】
他の態様においては、送信側デバイスの方向およびレンジを動的に決定するための方法が提供される。この方法は、少なくとも１つの送信側デバイスと関連する少なくとも１つの送信される信号を生成することと、少なくとも所定のレベルの粒状度で送信側デバイスの方向およびレンジを決定することと、を具備する。これは、少なくとも１つの決定または送信される信号情報を含むことができる。これは、方向を動的に決定するための方法を含むことができる。これはまた、少なくとも１つの送信される信号または情報を含むことができる。
【００４９】
ここに開示される実施形態と関連して記載された様々な例証的なロジック、論理ブロック、モジュール、および回路は、ここに記載の機能を行うように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲート、またはトランジスタロジック、ディスクリートハードウェアコンポーネント、またはそれらの任意の組み合わせによって実現または実施可能となる。汎用プロセッサは、マイクロプロセッサからなることができるが、代替例では、このプロセッサは、従来のプロセッサ、コントローラ、マイクロコントローラ、または状態機械のいずれかからなることができる。プロセッサはまた、演算デバイスの組み合わせ、例えば、ＤＳＰおよびマイクロプロセッサ、複数のマイクロプロセッサ、ＤＳＰコアと共同する１つまたは複数のマイクロプロセッサ、またはこの種の他の構成の組み合わせで実現可能となる。さらに、少なくとも１つのプロセッサは、上述の１つまたは複数の工程および／または行為を実施するように動作可能な１つまたは複数のモジュールを具備することができる。
【００５０】
さらに、ここに開示される態様と関連して記載された方法またはアルゴリズムの工程および／または行為は、ハードウェア内、プロセッサによって実行されるソフトウェアモジュール内、またはこれら２つの組み合わせ内に直接的に具体化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本技術分野で知られた他の形態の記憶媒体内に配置可能である。典型的な記憶媒体は、プロセッサと結合可能で、このプロセッサが記憶媒体に対して情報の読み取りおよび情報の書き込みができるようにされる。代替例では、記憶媒体はプロセッサと一体化されることができる。プロセッサおよび記憶媒体はＡＳＩＣ内に配置されることができる。
【００５１】
さらに、幾つかの態様においては、上記プロセッサおよび記憶媒体はＡＳＩＣ内に配置されることができる。さらに、ＡＳＩＣはユーザ端末機内に配置されることができる。代替例では、プロセッサおよび記憶媒体は、ユーザ端末機内にディスクリートコンポーネントとして配置されることができる。さらに、幾つかの態様においては、方法またはアルゴリズムの工程および／または行為は、コンピュータプログラム製品内に組み込まれる可能性がある機械読み取り可能な媒体および／またはコンピュータ読み取り可能な媒体上に、コードおよび／または指令の任意の組み合わせまたはセットとして配置されることができる。ここに開示される例と関連して記載された様々な例証的な論理ブロック、モジュール、および回路は、ここに記載の機能を行うように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲート、またはトランジスタロジック、ディスクリートハードウェアコンポーネント、またはそれらの任意の組み合わせによって実現または実施可能となる。汎用プロセッサは、マイクロプロセッサからなることができるが、代替例では、このプロセッサは、従来のプロセッサ、コントローラ、マイクロコントローラ、または状態機械のいずれかからなることができる。プロセッサはまた、演算デバイスの組み合わせ、例えば、ＤＳＰおよびマイクロプロセッサ、複数のマイクロプロセッサ、ＤＳＰコアと共同する１つまたは複数のマイクロプロセッサ、またはこの種の他の構成の組み合わせで実現可能となる。
【００５２】
１つまたは複数の態様において、記載される機能は、ハードウェア、ソフトウェア、ファームウェア、またはそれらの任意の組み合わせによって実現可能となる。ソフトウェア内に実現される場合、この機能は、コンピュータ読み取り可能な媒体上の１つまたは複数の指令またはコードとして記憶または送信されることができる。コンピュータ読み取り可能な媒体は、コンピュータ記憶媒体および１つの場所から他の場所へコンピュータプログラムを移送することを促進する任意の媒体を含む通信媒体の両者を含む。記憶媒体は、コンピュータによってアクセス可能な利用可能な任意の媒体からなることができる。例えば、限定的ではないが、このコンピュータ読み取り可能な媒体は、ＲＡＭ、ＲＯＭ、ＥＥＰＲＯＭ、ＣＤ−ＲＯＭ、または他の光ディスク記憶部材、磁気ディスク記憶部材、または他の磁気記憶デバイス、または指令またはデータ構造の形態で所望のプログラムコードを保持または記憶するように使用可能でかつコンピュータによってアクセス可能な他の任意の媒体を具備することができる。また、いかなる接続もコンピュータ読み取り可能な媒体と称されることができる。例えば、ソフトウェアが、ウェブサイト、サーバ、または他のリモートソースから、同軸ケーブル、光ファイバケーブル、ツイストペア、デジタル加入者回線（ＤＳＬ）、または無線技術、例えば赤外線、電波、およびマイクロ波を使用して発信される場合、同軸ケーブル、光ファイバケーブル、ツイストペア、ＤＳＬ、または無線技術、例えば赤外線、電波、およびマイクロ波は媒体の定義に含まれる。ここで使用されるディスク（ＤｉｓｋおよびＤｉｓｃ）は、コンパクトディスク（ＣＤ）、レーザディスク、光ディスク、デジタル多用途ディスク（ＤＶＤ）、フロッピディスク、およびブルーレイディスクを含み、ここで、「Ｄｉｓｋ」は通常磁気的にデータを再生し、「Ｄｉｓｃ」はレーザで光学的にデータを再生する。上記のものの組合せもまた、コンピュータ読み取り可能な媒体の範囲内に含まれるべきである。
【００５３】
本出願で使用されるように、「コンポーネント」、「モジュール」、「システム」等の用語は、コンピュータ関連実体、例えば、限定的ではないが、ハードウェア、ファームウェア、ハードウェアおよびソフトウェアの組み合わせ、ソフトウェア、または実行中のソフトウェアを含むことを意図する。例えば、コンポーネントは、限定的ではないが、プロセッサ上で進行中の処理、プロセッサ、対象物、実行可能物、一連の実行、プログラム、および／またはコンピュータからなる。例として、演算デバイス上で進行中の適用およびこの演算デバイスの両者は、コンポーネントとなることができる。１つまたは複数のコンポーネントは、処理および／または一連の実行内に配置可能であり、また、あるコンポーネントは、１つのコンピュータ上に局在することおよび／または２つ以上のコンピュータ間に分布することが可能である。さらに、これらのコンポーネントは、記憶された様々なデータ構造を有する様々なコンピュータ読み取り可能な媒体から実行可能となる。コンポーネントは、例えば１つまたは複数のデータパケットを有する信号、例えば、他のコンポーネントと相互作用するあるコンポーネントからのデータに従って、ローカルおよび／または遠隔処理によって通信する可能性があり、この相互作用は、ローカルシステム内、分布システム内、および／または他のシステムを有するインターネット等のネットワークを介して信号によって行われる。
【００５４】
さらにまた、ここでは、端末機と関連して様々な態様が記載され、この端末機は有線端末機または無線端末機からなることができる。端末機はまた、システム、デバイス、加入者ユニット、加入者局、モバイル局、モバイル、モバイルデバイス、遠隔局、遠隔端末機、アクセス端末機、ユーザ端末機、端末機、通信デバイス、ユーザエージェント、ユーザデバイス、またはユーザ機器（ＵＥ）と呼ぶことができる。無線端末機は、携帯電話、衛星電話、コードレス電話、セッション開始プロトコル（ＳＩＰ）電話、無線ローカルループ（ＷＬＬ）局、パーソナルデジタルアシスタント（ＰＤＡ）、無線接続能力を有する手持ち式デバイス、演算デバイス、または無線モデムに接続された他の処理デバイスからなることができる。さらに、ここでは、基地局と関連して様々な態様が記載される。基地局は、無線端末機(単数または複数)と通信するために利用される可能性があり、また、アクセス点、ＮｏｄｅＢ、または他の技術用語で言及される可能性がある。
【００５５】
ここに記載される技術は、様々な無線通信システム、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡまたはＳＣＦＤＭＡ）および他のシステムのために使用されることができる。「システム」および「ネットワーク」という用語は、しばしば相互に取り替え可能なものとして使用される。ＣＤＭＡシステムは、電波技術、例えばユニバーサルテレストリアルラジオアクセス（ＵＴＲＡ）、符号分割多元接続２０００（ＣＤＭＡ２０００またはＣＤＭＡ２０００（登録商標））等を実施することができる。ＵＴＲＡは、広帯域ＣＤＭＡ（Ｗ−ＣＤＭＡ）およびＣＤＭＡの他の変異形を含む。ＣＤＭＡ２０００は、ＩＳ−２０００、ＩＳ−９５、およびＩＳ−８５６規格をカバーする。ＴＤＭＡシステムは、電波技術、例えばモバイル通信用全地球的システム（ＧＳＭ（登録商標））を実施することができる。ＯＦＤＭＡシステムは、電波技術、例えば次世代ＵＴＲＡ（Ｅ−ＵＴＲＡ）、超モバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０（モバイルブロードバンド無線アクセス（ＭＢＷＡ））、シームレスバンドオフ直交多重化を有する高速低レイテンシアクセス（ＦＯＦＤＭまたはフラッシュＯＦＤＭ（登録商標））、等を実施することができる。ＵＴＲＡおよびＥ−ＵＴＲＡは、ユニバーサルモバイル遠距離通信システム（ＵＭＴＳ）の一部である。第三世代パートナーシッププロジェクト（３ＧＰＰ）の長期エボルーション（ＬＴＥ）は、Ｅ−ＵＴＲＡを使用する次回発売のＵＭＴＳで、これはダウンリンクでＯＦＤＭＡを使用すると共にアップリンクＳＣ−ＦＤＭＡを使用する。ＵＴＲＡ、Ｅ−ＵＴＲＡ、ＵＭＴＳ、ＬＴＥ、およびＧＳＭ（登録商標）は、「第三世代パートナーシッププロジェクト」（３ＧＰＰ）という名称の組織からの文書に記載される。ＣＤＭＡ２０００およびＵＭＢは、「第三世代パートナーシッププロジェクト２」（３ＧＰＰ２）という名称の組織からの文書に記載される。
【００５６】
さらに、「または」という用語は、排他的「または」ではなく、包括的「または」を意味することを意図する。即ち、特にそうでないと規定されるまたは状況から明瞭でない限り、「ＸはＡまたはＢを使用する」という表現は、任意の自然包括的置換を意味することを意図する。即ち、「ＸはＡまたはＢを使用する」という表現は、「ＸはＡを使用する」、「ＸはＢを使用する」、または「ＸはＡおよびＢを使用する」という例によって満足される。さらに、本明細書および付随する特許請求の範囲において使用される名詞は、特にそうでないと規定されるまたは状況から単一のものに指向されていることが明瞭でない限り、「１つまたは複数の」ものを意味すると一般的に解釈される。
【００５７】
人工知能に基づくシステム（例えば、明示的におよび／または暗示的に訓練された分類器）が、ここに記載されるように、開示される主題事項の１つまたは複数の態様に従って、推測および／または確率的決定、および／または統計に基づく決定を行うことと関連して使用されることができる。ここで使用されるように、「推測」、「推測する」という用語、またはこれらの態の変形物は、出来事および／またはデータから捕獲されるように、観察の組み合わせからシステム、環境、および／またはユーザの状態を推論するまたは推測する処理を一般的に言及する。推測は、例えば、具体的な状況または行為を特定するために使用されることができる、あるいは、状態に対する確率分布を生成することができる。この推測は確率的、即ち、データおよび出来事の考慮に基づく関心事の状態に対する確率分布の算法であることができる。推測はまた、出来事および／またはデータの組み合わせからより高いレベルの出来事を構成するために使用される技術を言及する。この推測は、観察された出来事および／または記憶された出来事データの組み合わせから、新たな出来事または行為を構築することをもたらし、ここで、これらの出来事が近時間的近接性において相互に関連があるか、およびこれらの出来事およびデータが１つまたは幾つかの出来事およびデータ源に由来するかが含まれる。様々な分類スキームおよび／またはシステム（例えば、支持ベクトル機械、神経ネットワーク、エキスパートシステム、ベイジアンビリーフネットワーク、ファジーロジック、データ融合エンジン等々）が、開示される主題事項と関連する自動的なおよび／または推測された行為を実施することと関連して使用されることができる。
【００５８】
例えば、人工知能に基づくシステムは、送信される方向およびレンジ決め信号と関係する現在または履歴的な証拠（例えば、方向およびレンジング情報の精度と関連する履歴的なデータ、特定の環境および／または位置における状況的な減衰、規格化情報、訓練、等々）を評価することができると共に、この評価に部分的に基づいて、例えば、現在知られまたは推測された条件下で受信される信号等のため、送信器の方向およびレンジに関する確率に部分的に基づいて、推測を行うことができる。例えば、地域商店街において受信される信号について履歴的に距離が２倍である場合、受信側デバイスは、この地域商店街の状況において信号が受信される時は、距離は２倍にしたほうがよいと推測することができ、これは、より精度が高いであろうという推測に基づく。当業者であれば、知的および／または推測システムが開示される主題事項の最適化をさらに促進することができ、そのような推測は多くのデータおよび変量に基づくことができ、これらの全ては主題の開示の様々な実施形態の範囲内であるとみなされるべきであることを理解できるであろう。
【００５９】
例えば、当業者は、インテリジェントコンポーネント（図示せず）は、知能に基づくシステムからなるおよび／またはその一部からなることができると共に、送信側ＵＥまたはモバイルデバイスの方向およびレンジを決定することと関連する推測を決定することを促進するために、ここに開示されるシステム内に含まれることができることを理解できるであろう。例えば、推測は、現在および／または履歴的なデータアクセスに少なくとも部分的に基づいてなされることができ、信号が大幅に減衰されかつまた近所の店についての位置状況情報を含む場合は、減衰される信号のみに基づいてより大きなレンジが示唆されているにもかかわらず、送信側デバイスの位置はこの店の近くである可能性が高いという推測を行うことができる。同様に、信号が近所の店の近くに送信側デバイスがあるという情報も含んでいるにもかかわらず、履歴的にこの送信側デバイスは実際には離間してしまっている時は、送信側デバイスは離間しているという推測を行うことができる。当業者であれば、行うことが可能な推測の数は略無限であり、そのような推測の全てが開示される主題事項の範囲内であるとみなされるべきであることを理解できるであろう。
【００６０】
以上例証的な態様および／または実施形態に関して説明してきたが、付随する特許請求の範囲で規定されるように、記載された態様および／または実施形態の範囲から離れることなく、ここに様々な変更および変形例が可能であることに留意すべきである。さらにまた、記載された態様および／または実施形態の素子は単数として説明されまたは特許請求の範囲に記載されるが、単数に対する限定が明示的に述べられていない限り、複数の場合も意図されている。さらに、任意の態様および／または実施形態の全てまたは一部は、特にそうでないと述べられていない限り、他の任意の態様および／または実施形態の全てまたは一部と共に利用可能である。開示される例に関する前述の説明は、当業者が本発明を実施または利用することができるように提供される。当業者によれば、これらの例に対する様々な変形例が容易に明らかとなり、ここに規定される包括的な原理は、本発明の精神または範囲から離れることなく、他の例に適用可能である。従って、本発明は、ここに示される例に限定されるのではなく、ここに開示される原理および新規な特徴と調和する最も広い範囲を与えられるように意図されるものである。
【図１】
2012501449.tif 000003
【図２】
2012501449.tif 000004
【図３Ａ】
2012501449.tif 000005
【図３Ｂ】
2012501449.tif 000006
【図４】
2012501449.tif 000007
【図５】
2012501449.tif 000008
【図６】
2012501449.tif 000009
【図７】
2012501449.tif 000010
【図８】
2012501449.tif 000011
【図９】
2012501449.tif 000012
【図１０】
2012501449.tif 000013
【図１１】
2012501449.tif 000014
【図１２】
2012501449.tif 000015
【国際調査報告】
2012501449.tif 000016
2012501449.tif 000017
2012501449.tif 000018
2012501449.tif 000019
2012501449.tif 000020
2012501449.tif 000021
2012501449.tif 000022
2012501449.tif 000023